(57)【要約】【課題】安価で面発光パネルのレイアウトの自由度が高い照明器具を提供する。【解決手段】照明器具１０は、複数の発光パネル部２０を備えている。隣接する発光パネル部２０同士の間はフレキシブルチューブ３１及びコネクタ３２で接続されている。フレキシブルチューブ３１は可撓性を有しており、発光パネル部２０のケーブル２３が挿通可能である。複数の発光パネル部２０のうち、任意のパネルを可動部材に取り付けることで、可動部材の動作に伴って発光パネル部２０をフレキシブルチューブ３１の可撓範囲内で動作させることが可能である。【選択図】図１
2010199004.tif 000002
【特許請求の範囲】
【請求項１】
少なくとも電源に接続されるケーブルを備えており、平面状の発光面を有する複数の面発光パネルと、
可撓性を有し、前記面発光パネル同士を連結するとともに前記ケーブルを保持する連結部材と、を備えた、
ことを特徴とする照明器具。
【請求項２】
前記連結部材は、前記ケーブルを挿通させて保持する管状部材である、
ことを特徴とする請求項１に記載の照明器具。
【請求項３】
前記面発光パネルの発光状態を遠隔操作するためにユーザからの指示に応じた信号を送信するリモコン装置と、
前記面発光パネルに設けられ、前記リモコン装置からの前記信号を受信する受信部と、
前記面発光パネルに設けられ、前記受信部が受信した前記信号に基づいて該面発光パネルの発光状態を制御する制御部と、をさらに備えた、
ことを特徴とする請求項１又は２に記載の照明器具。
【請求項４】
前記面発光パネルは、有機エレクトロルミネッセンス素子を備える、
ことを特徴とする請求項１乃至３のいずれか１項に記載の照明器具。
【請求項５】
前記制御部は、前記面発光パネルが取り付けられた可動部材を駆動するための駆動信号を出力する信号出力部を備える、
ことを特徴とする請求項１乃至４のいずれか１項に記載の照明器具。
【発明の詳細な説明】
【技術分野】
【０００１】
本発明は、面状の発光部を有する照明器具に関する。
【背景技術】
【０００２】
従来、白熱電球や蛍光灯などを利用した照明器具が広く用いられている。近年では、より長寿命化や省電力化を図って、またインテリアとしての美観を高めるために、薄型で面状の発光部を有する照明器具が用いられるようになってきている。
【０００３】
このような照明器具は、例えば特許文献１に開示されている。特許文献１に開示された照明器具は、例えば有機ＥＬ（エレクトロルミネッセンス）のような面状光源を額縁状の枠体で保持した薄型でパネル状の照明器具である。また、特許文献１には、複数枚の面発光パネルを並べて共通のフレームで保持する構成も開示されている。
【先行技術文献】
【特許文献】
【０００４】
【特許文献１】特開２００６−３３１８５６号公報
【発明の概要】
【発明が解決しようとする課題】
【０００５】
しかしながら、上述した関連技術には、以下に示すような問題点がある。特許文献１に開示されている技術では、複数枚のパネルが共通のフレームで固定されているため、面発光パネルのレイアウトが制約されてしまうなどの不都合がある。例えば、特定のパネルを可動させ、その他のパネルを固定して配置したい場合に対応することができない。また、面発光パネルのレイアウトはフレームの形状に制約されるため、レイアウトのデザインに合わせて特殊形状のフレームを作製する必要があり、高コストとなってしまう。
【０００６】
本発明は、上記問題点に鑑みてなされたもので、安価で面発光パネルのレイアウトの自由度が高い照明器具を提供することを目的とする。
【課題を解決するための手段】
【０００７】
上記目的を達成するため、本発明に係る照明器具は、
少なくとも電源に接続されるケーブルを備えており、平面状の発光面を有する複数の面発光パネルと、
可撓性を有し、前記面発光パネル同士を連結するとともに前記ケーブルを保持する連結部材と、を備えた、
ことを特徴とする。
【発明の効果】
【０００８】
本発明によれば、複数の面発光パネルを可撓性を有する連結部材で連結するため、安価で面発光パネルのレイアウトの自由度が高い照明器具を提供することができる。
【図面の簡単な説明】
【０００９】
【図１】本発明の第１の実施形態に係る照明器具を示す正面図である。
【図２】発光パネル部を示す斜視図である。
【図３】（ａ），（ｂ）は、照明器具の動作を示す正面図である。
【図４】照明器具の動作を示す側面図である。
【図５】本発明の第２の実施形態に係る照明器具を示す正面図である。
【図６】本発明の第３の実施形態に係る照明器具を示す正面図である。
【図７】本発明の第４の実施形態に係る照明器具の構成を示す図である。
【発明を実施するための形態】
【００１０】
以下、本発明の実施形態について添付図面を参照して説明する。
【００１１】
（第１の実施形態）
図１に示すように、第１の実施形態の照明器具１０は、発光パネル部２０と、リモコン２９と、フレキシブルチューブ３１と、コネクタ３２と、を備えている。
【００１２】
発光パネル部２０は、照明器具１０の基本的な発光ユニットをなすものであり、発光部２１と、筐体部２２と、ケーブル２３と、赤外線受光部２４と、制御部２５と、を備えている。
【００１３】
発光部２１は、本実施形態では矩形の面状の光源であり、図１から手前に向かって光を発するように配置されている。
【００１４】
筐体部２２は、金属又は樹脂等から形成されており、発光部２１を保持する。
【００１５】
ケーブル２３は、本実施形態では、発光部２１に後述する制御部２５を介して電力を供給するための電力線である。ケーブル２３は、筐体部２２の周縁部から発光パネル部２０の外部に露出するように設けられている。なお、その他に、例えば照明器具１０全体を制御する制御装置（図示せず）等との間で信号をやり取りする信号線などを有していてもよい。
【００１６】
赤外線受光部２４は、ユーザが選択した所定の動作を指令するための赤外線信号を受信し、制御部２５に伝達する。また、リモコン２９は、発光パネル部２０から離隔した場所においてユーザの操作によって上記の赤外線信号を赤外線受光部２４に向けて送信する。
【００１７】
制御部２５は、例えば、ＣＰＵ（Central Processing Unit）、ＲＡＭ（Rondom Access Memory）、および、ＲＯＭ（Read Only Memory）等から構成されている。制御部２５は、筐体部２２に収容されており、赤外線受光部２４を介して伝達された指令又は全体の制御装置からの指令に従って、ケーブル２３を介して供給される電力によって発光部２１を所定の動作で発光させる。
【００１８】
フレキシブルチューブ３１は、可撓性を有する電線管であり、ケーブル２３を保護するとともに、隣接する発光パネル部２０同士を連結する。本実施形態では、連結される２つの発光パネル部２０の間に２本のフレキシブルチューブ３１が設けられている。後述するように発光パネル部２０が薄いパネル状に形成されているため、照明器具１０の美観に合わせてフレキシブルチューブ３１も細い円筒管状（又は薄い平管状）に形成されている。フレキシブルチューブ３１の端部は、コネクタ３２を介して、発光パネル部２０の筐体部２２に接続されている。
【００１９】
次に、発光パネル部２０の形状について図２を参照して説明する。なお、図２において、ケーブル２３は図示を省略している。
【００２０】
図１に示した発光部２１は、本実施形態では有機ＥＬパネル２７である。有機ＥＬパネル２７は枠体２６と一体となって薄い矩形の板状に構成されている。図１に示した筐体部２２は、図２における枠体２６と背面筐体２８とを備えている。図１の正面から見て、枠体２６は額縁状に形成されており、背面筐体２８は枠体２６の外形とほぼ同じ矩形をなしている。なお、本実施形態では発光体に有機ＥＬを採用することで、パネル全体の厚さは例えば５ｍｍ以下である。
【００２１】
次に、上述の如く構成された照明器具１０の動作について説明する。
【００２２】
本実施形態では、ユーザがリモコン２９を操作することにより、リモコン２９からの所定の赤外線信号を赤外線受光部２４が受信し、制御部２５が発光部２１を所定の発光状態となるように制御する。例えば、発光部２１が全灯、減光、調光及び消灯の各発光状態となるようにユーザが遠隔操作することが可能である。また、これらの発光状態を予め設定したプログラムに従い連続的に変化させるデモンストレーションモードで動作させることも可能である。
【００２３】
なお、図１のように複数の発光パネル部２０が設けられている場合、各発光パネル部２０が一斉に同じ信号を受信して信号に応じた動作をすることとしてもよく、特定の発光パネル部２０を代表としてその赤外線受光部２４のみが信号を受信することとしてもよい。また、各発光パネル部２０がそれぞれ特定の信号のみに従って動作するように予め受信設定をしておくこととしてもよい。
【００２４】
その他、本実施形態の動作例について、図３及び図４を参照して説明する。
【００２５】
図３（ａ），（ｂ）の例では、複数の発光パネル部２０のうち１つ（発光パネル部２０ａ）が任意の可動部材４０に取り付けられている。その他の発光パネル部２０は例えば天井等に固定されている。図３（ａ）では可動部材４０がＸ方向に移動し、それに伴い発光パネル部２０ａもＸ方向に移動する。このときの可動範囲は、フレキシブルチューブ３１が許容する伸縮範囲である。また、図３（ｂ）では可動部材４０がＹ方向に移動し、それに伴い発光パネル部２０ａもＹ方向に移動する。このときの可動範囲はフレキシブルチューブ３１が許容する変形範囲である。なお、この場合フレキシブルチューブ３１を挿通するケーブル２３の長さは適切に選択されているものとする。
【００２６】
図４の例では、発光パネル部２０が天井４１に設けられた扉４２に取り付けられている。扉４２は図３（ａ），（ｂ）に示す可動部材４０に相当する部材である。扉４２が図４の両矢印で示す方向に開閉されると、これに伴い発光パネル部２０ａが図の主にＺ方向成分に移動する。このとき、フレキシブルチューブ３１が有する可撓性により、２本のフレキシブルチューブ３１ａの長さを適切に選択することで、天井４１等との干渉無くスムーズに扉４２の開閉を行うことができるとともに、発光パネル部２０ａを可動部に設けることが可能となる。なお、図４の例以外にも任意の部材に発光パネル部２０ａを取り付けてＺ方向に移動させることもできる。
【００２７】
以上説明したように、本実施形態によれば、１又は複数の薄型の発光パネル部２０をフレキシブルチューブ３１で接続することにより、任意のパネルをパネル主面に平行な方向（Ｘ方向、Ｙ方向）成分のみならず、パネル主面に垂直な方向（Ｚ方向）成分にも容易に移動させることが可能となる。また、発光パネル部２０に予め各方向にフレキシブルチューブ３１及びコネクタ３２を接続できるよう接続口を設けておくことで、レイアウトごとに特殊なフレーム等を作製する必要がなくなるため、安価でレイアウトの自由度が高い照明器具を得ることができる。
【００２８】
（第２の実施形態）
次に、本発明の第２の実施形態について図５を参照して説明する。図５に示すように、本実施形態の照明器具１０は、図１の構成と基本的に同様であるが、互いに長さが異なるフレキシブルチューブ３１ｂ，３１ｃを設けることで、図５の（１又は複数の）発光パネル部２０に対して発光パネル部２０ｂが斜めに取り付けられている。この場合でも、例えば発光パネル部２０ｂについて、フレキシブルチューブ３１ｂ，３１ｃが許容する変形範囲内で自由に移動させることが可能である。
【００２９】
（第３の実施形態）
次に、本発明の第３の実施形態について図６を参照して説明する。図６に示すように、本実施形態の照明器具１０は、発光パネル部２０が縦横に複数列並べられている。図６では隣接する発光パネル部２０同士は全てフレキシブルチューブ３１及びコネクタ３２を使用して接続されているが、パネルの取付状態によっては適宜省略することができる。このような構成例でも、フレキシブルチューブ３１の可撓性により、複数枚の発光パネル部２０のうち任意のパネルを図のＸ，Ｙ，Ｚ方向成分に移動させることができる。
【００３０】
（第４の実施形態）
次に、本発明の第４の実施形態について図７を参照して説明する。第１の実施形態において、図３（ａ），（ｂ）、図４に示した動作は、可動部材４０又は扉４２の動作に伴う受動的な発光パネル部２０ａの動作であった。本実施形態では、照明器具１０から例えば可動部材４０に対してＸ，Ｙ，Ｚ方向の動作をさせるための駆動信号を出力することを特徴とする。
【００３１】
図７に示すように、ユーザがリモコン２９を操作することにより、リモコン２９は赤外線信号を送信する。発光パネル部２０側に設けられた赤外線受光部２４がこの赤外線信号を受信し、制御部２５に伝達する。本実施形態の照明器具１０は、信号出力部を備えており、制御部２５は信号出力部３０を介して可動部材４０の駆動を制御するための駆動信号を可動部材４０に向けて出力する。可動部材４０は、駆動信号を受けて自分自身の制御部（図示せず）等の指令によりユーザが所望する方向に駆動動作を行う。このように、照明器具１０を利用して可動部材４０を能動的に動作させるように構成することとしてもよい。
【００３２】
なお、この発明は上述した実施形態に限定されず、種々の変形及び応用が可能である。
【００３３】
例えば、発光パネル部２０の主面の形状は上述の矩形以外にも円形、三角形等任意のパネル形状とすることとしてもよい。また、発光パネル部２０同士の間のフレキシブルチューブ３１は上述の２本以外に１本や３本以上であってもよい。
【００３４】
また、発光部２１は、上述の有機ＥＬパネル２７以外に、例えばＬＥＤ（発光ダイオード）のような発光体を使用して面発光させることとしてもよい。
【００３５】
また、フレキシブルチューブ３１とコネクタ３２とが一体となって発光パネル部２０に接続可能な構成となっていてもよい。
【符号の説明】
【００３６】
１０  照明器具
２０、２０ａ、２０ｂ  発光パネル部
２１  発光部
２２  筐体部
２３  ケーブル
２４  赤外線受光部
２５  制御部
２６  枠体
２７  有機ＥＬパネル
２８  背面筐体
２９  リモコン
３０  信号出力部
３１、３１ａ、３１ｂ、３１ｃ  フレキシブルチューブ
３２  コネクタ
４０  可動部材
４１  天井
４２  扉
【図１】
2010199004.tif 000003
【図２】
2010199004.tif 000004
【図３】
2010199004.tif 000005
【図４】
2010199004.tif 000006
【図５】
2010199004.tif 000007
【図６】
2010199004.tif 000008
【図７】
2010199004.tif 000009